(57)【要約】【課題】  バッチ処理可能な紙葉類処理装置において、バッチカードに誤検出された場合、当該バッチカードとダミーカードを交換し、当該ダミーカードをバッチカードとして用いることのできるバッチ処理可能な紙葉類処理装置を提供する。【解決手段】  バッチカード検出装置８は、色センサを備えており、この色センサによって検出する色を設定する（Ｓ１）。次に、バッチカードの検出パターン色を設定する（Ｓ２）。次に、紙葉類処理装置による入金処理を実施する（Ｓ３）。この入金処理においてバッチカードの誤検知がない場合（Ｓ３のＮｏ）は、ステップＳ１に戻って、次のバッチ処理を行う。一方、バッチカードの誤検知が多い場合は（Ｓ４のＹｅｓ）、操作員がバッチカードの変更処理を行う。最初に、バッチカードの検出色をダミーカードの検出色に合わせる（Ｓ５）。次に、バッチカード検出パターンの色をダミーカードの検出色に合わせる。【選択図】  図２
2007156730.tif 000002
【特許請求の範囲】
【請求項１】
複数の処理単位毎に集積された紙葉類が一括して供給された供給部から１枚ずつ取り出して搬送し、前記紙葉類を区分処理する紙葉類処理装置であって、
前記処理単位毎に区分された前記紙葉類の先端に挿入され、前記紙葉類とは異なる色を有し、かつ識別符号が付与された第１のカードと、
前記処理単位毎に区分された前記紙葉類の後端に挿入され、前記紙葉類及び前記第１のカードとは異なる色を有し、かつ識別符号が付与された第２のカードと、
前記第１のカード及び前記第２のカードを検出するための検出色を設定する設定手段と、
この設定手段で設定された検出色を検出する検出手段と、
前記紙葉類、及び前記第１のカード及び前記第２のカードの色パターンを判別する紙葉類判別手段と、
この紙葉類判別手段による判別結果に基づいて前記紙葉類を区分処理する区分処理手段と、
前記検出手段及び前記紙葉類判別手段により前記第２のカードが検出されたとき、すでに前記供給部から取り出された紙葉類は前記区分処理手段による区分処理を行い、前記供給部による紙葉類の取り出しを停止する搬送制御手段と、
を備えたことを特徴とする紙葉類処理装置。
【請求項２】
前記第１のカード及び前記第２のカードの色パターンを同様に構成したことを特徴とする請求項１記載の紙葉類処理装置。
【請求項３】
前記区分処理手段は、
前記紙葉類判別手段による判別結果に基づいて前記紙葉類を集積部、施封部、または排除券集積部で区分処理し、
前記搬送制御手段は、
先の処理単位の区分処理中に前記検出手段によって前記第２のカードが検出されたとき、前記供給部の取り出しを停止し、処理中の当該処理単位の計数処理を終了し、前記排除券集積部に集積された排除券が操作員によって排除券処理されたときに、次の処理単位の区分処理を行うために前記供給部の取り出しを開始することを特徴とする請求項１記載の紙葉類処理装置。
【請求項４】
処理単位毎に第１のカード、紙葉類、第２のカードからなる媒体で構成されたバッチを複数集積した紙葉類群を一括して供給した供給部から１枚ずつ取り出して搬送し、前記紙葉類群を処理単位毎に区分処理する紙葉類処理装置のバッチ処理方法であって、
前記第１のカードは、前記紙葉類とは異なる色を有し、かつ識別符号が付与され、前記第２のカードは、前記第１のカードとは異なる色を有し、かつ前記第１のカードと同じ識別符号が付与され、前記第１のカード及び前記第２のカードの検出色を設定する第１工程と、
前記第１のカード及び前記第２のカードの検出パターン色を設定する第２工程と、
この第１及び第２工程の後、前記バッチを複数集積した紙葉類群を前記供給部に供給する第３工程と、
この供給部から１枚ずつ媒体を取り出す取出部を駆動する第４工程と、
この第４工程で取り出された媒体の色を検出する第５工程と、
この第５工程で検出した媒体の色が第２のカードの色でない場合当該媒体を紙葉類判別手段で判別する第6工程と、
この第６工程の結果に基づいて前記媒体を区分処理する第７工程と、
前記第２のカードの誤検知を判別する第８工程と、
この第８工程の結果、第２のカードの誤検知が検出された場合、前記第１のカードの検出色を前記第２のカードの検出色に設定する第９工程と、
前記第１のカードの検出パターン色を前記第２のカードの検出パター色に設定する第１０工程と、
を有することを特徴とする紙葉類処理装置のバッチ処理方法。
【請求項５】
前記第５工程で検出した媒体の色が第２のカードの色の場合、前記第４工程で駆動した取出部の駆動を停止する第１１工程と、
この第１１工程でバッチの計数処理を行う第１２工程と、
この第１２工程終了後、さらに未処理のバッチが有る場合、取出部の再駆動を行う第１３工程と、
前記第１３工程終了後、未処理のバッチが無い場合、排除券処理を行う第１４工程と、
を有することを特徴とする請求項４記載の紙葉類処理装置のバッチ処理方法。
【請求項６】
前記第８工程は、
前記第５工程による媒体色検出結果、及び前記第６工程による紙葉類判別結果に基づいて判別された第２のカードが、さらに前記識別符号を有しているかをバーコードリーダによって検知する工程であることを特徴とする請求項４記載の紙葉類処理装置のバッチ処理方法。
【発明の詳細な説明】
【技術分野】
【０００１】
本発明は、有価証券などの紙葉類を、バッチカードを用いて区分して判別処理するバッチ処理可能な紙葉類処理装置に関し、特に紙葉類の種類が追加された場合に容易に対応できるバッチカードを用いた紙葉類処理装置に関する。
【背景技術】
【０００２】
有価証券などの紙葉類を処理する紙葉類処理装置は、一括して投入された紙葉類を一定間隔に１枚ずつ取り出して搬送し、紙葉類判別装置によって当該紙葉類の種類（以下、券種と称する）判別、搬送方向判別、真偽判別（真券か偽券か）、及び正損判別（再流通可能な正券か再流通不可能な偽券か）を行い、この判別結果に基づいて紙葉類を区分し、施封装置又は集積装置などの処理装置に振り分けて処理する装置である。
【０００３】
この際、バッチ処理可能な紙葉類処理装置では、小口のバッチ処理を行う場合、バッチ処理の単位毎に、バッチカードとダミーカードの間に処理する紙葉類を挟みこんで区分して処理するバッチカード処理と称される方法が知られている。
【０００４】
バッチカード及びダミーカードは処理する紙葉類と異なるため、後述する排除券扱いとなり、排除券集積部に集積される。その際、バッチカード及びダミーカードの間に挟まれて集積された紙葉類が当該バッチ処理で排除された紙葉類であることが分かるようになっている。そのため、このバッチカードにはバーコードなどの識別符号が印刷されているが、ダミーカードには識別符号が印刷されていなかった。
【０００５】
このバッチカード処理では、処理ステップを３段階（前処理、装置処理、排除券処理）に分けて行われている。
【０００６】
第１段階は前処理段階で、紙葉類を紙葉類処理装置で処理する前の段階である。操作員が紙葉類を受け入れてバッチカードを発行し、処理ボックスにバッチカード、紙葉類、ダミーカードの順番にセットするフェーズである。バッチカード及びダミーカードは、一方の紙葉類の集合と、他方の紙葉類の集合とを区分するためのもので、このバッチカード、紙葉類、ダミーカードの組み合わせで１バッチとなる。従って、処理ボックスの中には、複数のバッチが存在することになる。
【０００７】
第２段階は装置処理の段階で、操作員によってセットされた処理ボックス内の紙葉類を紙葉類処理装置で区分処理するフェーズである。操作員が紙葉類（バッチカード、ダミーカードを含む）を紙葉類処理装置の取込部にセットし、処理を開始すると、紙葉類処理装置は、セットされた紙葉類を一定間隔に１枚ずつ取り出して搬送し、上述した区分処理を行う。
【０００８】
上記取込部には、バッチカードを検出するための検出手段が設けられており、この検出手段によって、バッチカードが検出された場合、取り込み処理を一時停止する手段が設けられている。
【０００９】
第３段階は排除券処理の段階で、操作員が排除券を処理する段階である。操作員は、紙葉類処理装置から排除された紙葉類を、バッチカード番号をキーにしてキー入力するフェーズである（例えば、特許文献１参照）。
【特許文献１】特開２００２−３３４３６２号公報  （第５頁、図５）
【発明の開示】
【発明が解決しようとする課題】
【００１０】
しかしながら、特許文献１記載の紙葉類処理装置では、紙葉類で処理する券種が追加され、その追加された紙葉類がバッチカードと同色又は類似している場合など、追加された紙葉類がバッチカードに誤検出される場合があるという課題があった。
【００１１】
本発明は、上記課題を解決するためになされたもので、紙葉類がバッチカードに誤検出された場合、当該バッチカードとダミーカードを交換し、当該ダミーカードをバッチカードとして用いることによって、券種が追加された場合にもバッチカードを認識できる紙葉類処理装置及び紙葉類処理装置のバッチ処理方法を提供することを目的とする。
【課題を解決するための手段】
【００１２】
上記目的を達成するために、本発明の請求項１記載の紙葉類処理装置は、複数の処理単位毎に集積された紙葉類が一括して供給された供給部から１枚ずつ取り出して搬送し、前記紙葉類を区分処理する紙葉類処理装置であって、前記処理単位毎に区分された前記紙葉類の先端に挿入され、前記紙葉類とは異なる色を有し、かつ識別符号が付与された第１のカードと、前記処理単位毎に区分された前記紙葉類の後端に挿入され、前記紙葉類及び前記第１のカードとは異なる色を有し、かつ識別符号が付与された第２のカードと、前記第１のカード及び前記第２のカードを検出するための検出色を設定する設定手段と、この設定手段で設定された検出色を検出する検出手段と、前記紙葉類、及び前記第１のカード及び前記第２のカードの色パターンを判別する紙葉類判別手段と、この紙葉類判別手段による判別結果に基づいて前記紙葉類を区分処理する区分処理手段と、前記検出手段及び前記紙葉類判別手段により前記第２のカードが検出されたとき、すでに前記供給部から取り出された紙葉類は前記区分処理手段による区分処理を行い、前記供給部による紙葉類の取り出しを停止する搬送制御手段と、を備えたことを特徴とする。
【００１３】
また、本発明の請求項４記載の紙葉類処理装置のバッチ処理方法は、処理単位毎に第１のカード、紙葉類、第２のカードからなる媒体で構成されたバッチを複数集積した紙葉類群を一括して供給した供給部から１枚ずつ取り出して搬送し、前記紙葉類群を処理単位毎に区分処理する紙葉類処理装置のバッチ処理方法であって、前記第１のカードは、前記紙葉類とは異なる色を有し、かつ識別符号が付与され、前記第２のカードは、前記第１のカードとは異なる色を有し、かつ前記第１のカードと同じ識別符号が付与され、前記第１のカード及び前記第２のカードの検出色を設定する第１工程と、前記第１のカード及び前記第２のカードの検出パターン色を設定する第２工程と、この第１及び第２工程の後、前記バッチを複数集積した紙葉類群を前記供給部に供給する第３工程と、この供給部から１枚ずつ媒体を取り出す取出部を駆動する第４工程と、この第４工程で取り出された媒体の色を検出する第５工程と、この第５工程で検出した媒体の色が第２のカードの色でない場合当該媒体を紙葉類判別手段で判別する第６工程と、この第６工程の結果に基づいて前記媒体を区分処理する第７工程と、前記第２のカードの誤検知を判別する第８工程と、この第８工程の結果、第２のカードの誤検知が検出された場合、前記第１のカードの検出色を前記第２のカードの検出色に設定する第９工程と、前記第１のカードの検出パターン色を前記第２のカードの検出パター色に設定する第１０工程と、を有することを特徴とする。
【発明の効果】
【００１４】
本発明によれば、紙葉類がバッチカードに誤検出された場合、当該バッチカードとダミーカードを交換して用いることができるので、券種が追加された場合にもバッチカードを認識できる。
【発明を実施するための最良の形態】
【００１５】
以下、図面を参照して本発明の実施例を説明する。
【実施例１】
【００１６】
図１は、本発明のバッチカードを用いた紙葉類処理装置を備えた紙葉類処理システム図である。この紙葉類処理システムには、紙葉類処理装置１１０、上位システムＤＢ（データベース）１００、前処理用情報登録ＰＣ（パーソナル・コンピュータ）１２０、及び排除券入力用情報登録ＰＣ１３０が設けられている。
【００１７】
前処理用情報登録ＰＣ１２０には、ハンドスキャナ１２１が接続されており、バッチカードの登録処理が行われる。バッチカードの登録処理とは、バッチカードに印刷されているバーコードをハンドスキャナ１２１で読み取り、その読み取りデータを上位システムＤＢ１００に送信することである。このようにして登録されたバッチカード、紙葉類、ダミーカードを処理ボックス（図示しない）にセットする。なお、本実施例では、バッチカード及びダミーカードには同一のバッチカード番号がバーコード印字されている。このようにして、処理ボックスにセットされた１バッチの紙葉類は、紙葉類処理装置１１０に供給される。
【００１８】
紙葉類処理装置１１０は、操作部５５０及び紙葉類処理部１で構成され、上位システムＤＢ１００に通信回線を経て接続されている。  
操作部５５０は、紙葉類処理部１で行う業務内容の指示、この指示された業務内容に基づく取引内容の指定、及び紙葉類処理部１での取引結果を入手し、その入手結果を上位システムＤＢ１００に送信する。すなわち、紙葉類処理部１で読み取ったバッチカード番号及び処理した計数金額を送信する。
【００１９】
紙葉類処理部１は、操作部５５０に接続され、操作部５５０からの取引指示に基づいて、上記処理ボックスにセットされた紙葉類が供給される。上記紙葉類処理部１によって紙葉類が１枚ずつ判別され、その判別結果に基づいて区分処理される。この紙葉類処理中に排除券が発生した場合、発生した排除券は、リジェクト集積部に、ダミーカード、排除券（リジェクト券）、バッチカードの順番に集積される。
【００２０】
排除券入力用登録ＰＣ１３０には、ハンドスキャナ１３１が接続されており、上記リジェクト集積部に集積された排除券（リジェクト券）入力処理が行われる。排除券は、ダミーカード及びバッチカードに挟まれてリジェクト集積部に集積されている。操作員は、当該バッチカードに印字されているバーコードをハンドスキャナ１３１で読み取る。読み取った結果は操作部５５０の操作表示部に表示される。また、排除券の供給元を示すアカウント番号、排除券の券種及び枚数からなる金額が操作部５５０の操作表示部又は入力部から入力される。これら入力されたデータは、上位システムＤＢ１００に送信される。
【００２１】
図２は、本発明の実施例による紙葉類処理装置１１０の概略断面図である。紙葉類処理装置１１０は、紙葉類処理部１及び操作部５５０で構成されている。
【００２２】
操作部５５０に接続された操作表示部５５２から操作員の操作によって、入金業務、整理業務などの取引方法の設定、処理した紙葉類Ｐを収納する収納庫（以下、カセットと称する。）を設定するカセットアサイン、及び紙葉類Ｐの正損レベル設定などが行われる。この設定の後、供給部１０に供給された複数券種の紙葉類Ｐが一定の間隔で１枚ずつ取り出されて搬送され、上記カセットアサインによって設定されたカセット（５７Ｄ〜６２Ｄ）に収納、又は施封される。
【００２３】
また、設定した業務の取引終了時には、各業務終了に伴う取引の区切り処理が行われる。さらに、１日の業務終了などの単位で取引計数を集計し、上位システムＤＢ１００に取引結果を通知するバランス処理が行われる。この上位システムＤＢ１００には、例えば、本実施例の紙葉類処理装置１１０が複数台接続され、各紙葉類処理装置１１０の稼動状況の把握や、各紙葉類処理装置１１０からの処理結果の集計を行うことができる。
【００２４】
入金業務とは、予め合計金額のわかっている複数券種の紙葉類Ｐを、紙葉類処理装置１１０を用いて、券種毎、搬送方向毎、正損毎に区分し、紙葉類処理装置１１０で計数した金額が正しいことを確認し、上位システムＤＢ１００に登録する業務である。なお、この業務によって処理された紙葉類Ｐは、上述した集積装置５７〜６２の各カセット５７Ｄ〜６２Ｄに集積され、又は施封部４で施封される。
【００２５】
整理業務とは、入金業務において上位システムＤＢ１００に計数を登録しない業務である。取引した券種を計数することが目的ではなく、一度入金業務などで計数を行った券種をさらに詳細に（例えば、表裏及び正損毎に）集積装置５７〜６２の各カセット５７Ｄ〜６２Ｄに集積したり、施封を行ったりするために使用する。
【００２６】
カセットアサインとは、集積装置５７〜６２の各カセット５７Ｄ〜６２Ｄに収納する券種、及び施封部で施封する券種を設定することである。
【００２７】
正損レベル設定とは、再流通可能な正券と再流通不可能な損券に区分する閾値である正損判別レベルを設定することである。詳細は後述するが、正損判別レベルの値が大きくなるほど損券枚数が多くなる。
【００２８】
取引の区切り処理とは、各取引終了後、例えば操作表示部５５２に設けられた完了ボタン（図示しない）が押下されたとき、上記集積装置５７〜６２に集積された紙葉類を各カセット５７Ｄ〜６２Ｄに収納する処理のことで、紙葉類が収納された各カセットは、操作員によって空のカセットと交換される。
【００２９】
ここで、紙葉類Ｐが搬送されるときの搬送方向について説明する。紙葉類Ｐは、表（Ｆａｃｅ：表を上にした状態）、裏（Ｂａｃｋ：裏を上にした状態）、正（Ｆｏｗａｒｄ：紙葉類の表もしくは裏の印刷が正立した状態）、逆（Ｒｅｖｅｒｓｅ：紙葉類の表もしくは裏の印刷が倒立した状態）の４種類あり、これらを組み合わせた表正ＦＦ、表逆ＦＲ、裏正ＢＦ、裏逆ＢＲからなる４種類の搬送方向が形成される。
【００３０】
紙葉類処理部１は、紙葉類Ｐを供給する供給部１０と、この供給部１０から供給された紙葉類Ｐを１枚ずつ取り出す紙葉類取出部２００と、この紙葉類取出部２００によって取り出される紙葉類の色からバッチカードを検出するバッチカード検出装置８と、紙葉類取出部２００によって取り出された紙葉類Ｐを搬送する搬送路１６とを有している。また、この搬送路１６によって搬送される紙葉類Ｐの搬送スキュー、搬送位置ずれ（搬送スライド）を補正する搬送補正部２１０が配置されている。さらに、この搬送補正部２１０によって搬送補正された紙葉類Ｐを１枚ずつ判別する紙葉類判別部１９、及び上記バッチカードのバーコードを読み取るバーコードリーダ７０が搬送路１６に沿って配置されている。紙葉類判別部１９による紙葉類の判別結果、バッチカード検出装置８の読取結果、及びバーコードリーダ７０の読取結果は、紙葉類処理装置１１０を制御する主制御部５００に送信される。主制御部５００は、受信した判別結果に基づいて、後述する搬送制御部、施封制御部４００を制御する。搬送制御部は、紙葉類の搬送を制御するもので、分岐ゲートＧ１、Ｇ２、・・・Ｇ８、及び搬送方向を揃えるために反転する反転処理部を制御する。このようにして搬送方向の揃えられた紙葉類Ｐは、操作表示部５５２によって設定された区分方法に基づいて施封する施封部４で施封され、又は券種毎に集積する集積部５０で集積される。
【００３１】
さらに、紙葉類処理部１はインターフェース５０１を介して操作部５５０に接続されている。以下、紙葉類処理部１の構成を紙葉類Ｐの供給部１０から順に説明する。
【００３２】
上記供給部１０は、４種類の搬送方向が混在する紙葉類Ｐを当接して整位するステージ１１と、このステージ１１に対して鉛直方向に立設したバックアッププレート１２とで構成されている。また、このバックアッププレート１２は、バネ１３の付勢力によってステージ１１に沿って左側に移動可能になっている。このようにして供給された紙葉類Ｐは、バックアッププレート１２によりピックアップローラ５側に圧接される。この状態において、紙葉類Ｐは、取り出しローラ３０が回転することにより一定間隔を有して１枚ずつ取り出されて搬送路１６に繰り出される。
【００３３】
搬送補正部２１０は、搬送ローラ２１１の搬送方向下流に近接して設置されて紙葉類Ｐを検知するタイミングセンサＳＣ１と、搬送ローラ２１３、２１４及び図示しない搬送ガイドで構成される。
【００３４】
分岐ゲートＧ１は、例えば、リジェクト券と、処理券とに振り分けるゲートである。リジェクト券とは、紙葉類判別部１９で紙葉類Ｐを判別した結果、紙葉類Ｐが偽券、又は折れ、破れ、スキューなどにより判別のできない「判別不能券」と判別された紙葉類をいう。この判別結果を搬送制御部が受信すると、分岐ゲートＧ１を右側（時計方向）に回動することにより、当該リジェクト券をリジェクト集積部８０に集積する。
【００３５】
また、処理券とは、紙葉類判別部１９で判別された紙葉類Ｐが真券で正券、又は真券で損券をいう。搬送制御部は、その判別結果を受信すると、分岐ゲートＧ１を左側（反時計方向）に回動して、当該紙葉類を区分処理する。
【００３６】
反転処理部は、スイッチバック反転部（図示しない）及び表裏反転部９で構成され、取り揃える方向により上記スイッチバック反転部及び表裏反転部９の一方、若しくは両方が使用される。
【００３７】
分岐ゲートＧ２は、表裏反転分岐ゲートである。紙葉類判別部１９で判別された紙葉類Ｐの搬送方向の判別結果に基づき、表裏反転を必要とする場合に右側（時計方向）に回動し、紙葉類Ｐを図示矢印Ａ６で示す表裏反転部９を通過させる。また、表裏反転を必要としない場合、分岐ゲートＧ２を、左側に回動し、紙葉類Ｐを図示矢印Ａ４で示す方向に搬送させる。
【００３８】
表裏反転部９は、紙葉類判別部１９で判別された結果に基づき、紙葉類Ｐの搬送方向の表裏を反転する。例えば搬送方向が裏正（ＢＦ）の場合、表裏反転部９によって表正ＦＦになる。
【００３９】
分岐ゲートＧ３は、搬送される紙葉類Ｐを搬送路１６から施封部４、又は集積部５０に分岐する分岐ゲートである。搬送される紙葉類Ｐが主制御部５００によって施封するように指定された券種の場合、搬送制御部は、分岐ゲートＧ３を右側（時計方向）に回動し、紙葉類Ｐを施封部４が設けられている図示矢印Ａ４０の方向に搬送する。また、それ以外の券種の紙葉類Ｐは、分岐ゲートＧ３から分岐ゲートＧ４〜Ｇ８を経由して集積装置５７〜６２に集積するように振り分けられる。
【００４０】
施封部４及び集積部５０には、紙葉類Ｐが搬送される搬送路から分離するために搬送路の終端に紙葉類Ｐを集積する集積装置として羽根車集積装置が設けられている。
【００４１】
この羽根車集積装置は、例えば、集積装置５７の場合、羽根車５７Ａ、一時集積庫５７Ｂ、シャッター５７Ｃ、カセット５７Ｄ、及び集積を補佐するプッシャ（図示しない）などの装置で構成される。
【００４２】
羽根車５７Ａは、複数の羽根が回転軸の周辺に組み込まれており、搬送されてきた紙葉類Ｐを羽根と羽根の間で受け取れるように紙葉類Ｐの搬送に同期して回転している。この羽根車を使用することによって、高速に搬送される紙葉類Ｐの運動エネルギーを吸収しながら、かつ、紙葉類Ｐを整位しながら一時集積庫５７Ｂに集積する。
【００４３】
一時集積庫５７Ｂは、集積装置５７で使用される一時集積庫５７Ｂと、施封部４の一時集積庫４２Ｂとでは以降で処理する目的が異なるために形態が異なっている。
【００４４】
集積装置５７で使用される一時集積庫５７Ｂには、シャッター５７Ｃが備えられており、このシャッター５７Ｃの上に紙葉類Ｐが集積される。そして、このシャッター５７Ｃに集積された紙葉類Ｐは、例えば満杯になったとき、又は業務終了指示（図示しない）などがあると、シャッター５７Ｃが開き、シャッター５７Ｃ下部に設けられたカセット５７Ｄに設けられたバックアッププレート（図示しない）の上に落下する。落下した紙葉類Ｐは、プッシャーによってカセット５７Ｄに押し込まれる。従って、押し込まれる紙葉類の枚数が増えるとバックアッププレートは下側に移動する。以上の動作は、集積装置５７〜６２で共通である。
【００４５】
施封部４は、第１集積部４２、第２集積部４３、搬送部、紙帯部４６、帯送り部４７、帯巻き部４８で構成される。本実施例では、施封部４が、上記第１集積部４２、第２集積部４３を有している場合を説明するが、必要に応じてこれら２個の集積部を対にして複数セット用いてもよい。
【００４６】
第１集積部４２及び第２集積部４３は、共に同様に構成されているため、第１集積部４２についてその構成を説明し第２集積部４３の説明を省略する。
【００４７】
第１集積部４２には、施封搬送路４０Ａから紙葉類を分岐する分岐ゲートＧ１２、振り分けられた紙葉類Ｐを搬送する搬送路４０Ｂ、搬送路４０Ｂの終端から送り出された紙葉類を受け取る羽根車４２Ａ、この羽根車４２Ａによって受け取られた紙葉類Ｐを集積する一時集積庫４２Ｂ、集積された紙葉類Ｐを押圧するプッシャー（図示しない）が設けられている。以下、施封部４の各部構成について詳細に説明する。
【００４８】
一時集積庫４２Ｂは、搬送される紙葉類Ｐを計数し１００枚毎に区分して集積するバックアッププレート４２Ｃを備えている。
【００４９】
搬送部は、縦搬送路４４Ａ、４４Ｂ、搬送キャリア４４Ｄ、及び横搬送路４４Ｃから構成される。縦搬送路４４Ａ、４４Ｂは、バックアッププレート４２Ｃ、４３Ｃで受けた１００枚紙葉類４５を上昇又は下降するためのものである。また、搬送キャリア４４Ｄは、縦搬送路４４Ａ又は縦搬送路４４Ｂの停止位置でバックアッププレート４２Ｃ又は４３Ｃから１００枚紙葉類４５を受け、施封トレイ（図示しない）に渡すために横搬送路４４Ｃ上を往復移動することができるように構成される。
【００５０】
紙帯部４６は、施封トレイに積載された１００枚紙葉類４５を施封するための紙帯４６Ａ、この紙帯４６Ａに印刷するための印刷機能と印刷された紙帯４６Ａを送る機能とを備えた帯送り部４７、１００枚紙葉類４５を帯送り装置から送られた印刷済み紙帯で施封する帯巻き部４８、及び施封部４を制御する施封制御部４００とで構成される。
【００５１】
図３は、主制御部５００に接続される紙葉類判別部１９、搬送制御部２６、施封制御部４００、及び操作部５５０の接続状態を示すブロック図である。
【００５２】
主制御部５００は、操作部５５０の指示に基づいて、搬送された紙葉類Ｐの判別結果を紙葉類判別部１９から受信し、紙葉類Ｐを区分処理するために、搬送制御部２６、及び施封制御部４００を制御する。また、紙葉類Ｐの判別結果を操作部５５０に送信する。
【００５３】
紙葉類判別部１９は、正損レベル検知手段として紙葉類Ｐの光学的特性を検知する。また、真偽検知手段として紙葉類Ｐの磁気的特性を検知する。これらの検知を行うための複数のセンサ１〜ｎが設けられており、これらセンサ１〜ｎの出力信号を増幅する増幅回路１〜ｎ、この増幅回路１〜ｎの出力信号を処理する処理手段から構成される。この処理手段は、Ａ／Ｄ変換するためのＡ／Ｄ変換部２４、このＡ／Ｄ変換部２４でＡ／Ｄ変換されたデータを論理演算する論理回路部２３、この論理回路部２３の出力信号から真偽判別手段によって真偽（本物か偽物か）が判別され、正損判別手段によって正損（正券か損券か）が判別される。紙葉類判別部１９の全体を制御するＣＰＵ２１と、このＣＰＵ２１によってアクセスされる記憶部２５、及びＣＰＵ２１で判別された結果を主制御部５００との間で通信するためのＩ／Ｆ部２２とで構成される。
【００５４】
搬送制御部２６は、紙葉類判別部１９の判別結果により、搬送される紙葉類Ｐの行き先を決定して、紙葉類Ｐの搬送制御を行うＣＰＵ２７と、このＣＰＵ２７によってアクセスされる記憶部２９と、主制御部５００とのＩ／Ｆ部２８とで構成される。
【００５５】
主制御部５００は、主制御部５００を制御するＣＰＵ５０４、記憶部５０５、インターフェース部５０３を備えており、紙葉類判別部１９、搬送制御部２６、及び施封制御部４００に接続される。また、インターフェース５０１を介して操作表示部５５２と接続される。
【００５６】
ＣＰＵ５０４は、操作表示部５５２から操作員によって設定された入金業務、整理業務などの取引方法の設定、処理した紙葉類Ｐを収納する収納庫を設定するカセットアサインの設定、及び紙葉類の判別レベルである正損判別レベル設定などの情報を紙葉類判別部１９に送信する。また、紙葉類Ｐの判別結果を紙葉類判別部１９から受信し、操作部５５０に送信する。ここでは、取引の区切り処理が行われた際の取引計数が送信される。
【００５７】
図４は処理ボックスに積載された紙葉類の状態を示す図である。図示した例は２バッチの紙葉類が処理ボックスに積載された状態を示しており、最初のバッチＰ１は、ダミーカード８１ａ、紙葉類群Ｐａ、及びバッチカード８１ｃで構成され、次のバッチＰ２は、ダミーカード８２ａ、紙葉類群Ｐｂ、及びバッチカード８２ｃで構成されており、ダミーカード８１ａから先に取り出されるように紙葉類処理装置１１０に供給される。ここで、最初のバッチＰ１のダミーカード８１ａ及びバッチカード８１ｃのバーコード８１ｂは共に同じ値が印字されている。同様に、次のバッチＰ２のダミーカード８２ａとバッチカード８２ｃに印字されたバーコードデータは、それぞれ同じ値であるが最初のバッチＰ１のバーコードと次のバッチＰ２のバーコードデータは異なった値になる。
【００５８】
図５は、図４に示す紙葉類群Ｐ１、Ｐ２を紙葉類処理部１０の供給部１０に供給した状態を示す。図示したように、紙葉類群Ｐ１のダミーカード８１ａから先に１枚ずつ取り出される。なお、この取り出されたダミーカードは、紙葉類と異なるため、リジェクト集積部８０に集積される。一方、バッチカードは、バッチカードの色が設定された色と同じであるため、バッチカードとして認識され、バッチカードに印字されたバーコードがバーコードリーダ７０によって読み取られた後にリジェクト集積部８０に集積される（詳細は後述する。）。
【００５９】
以上のように構成された紙葉類処理装置におけるバッチカード処理を説明する。バッチカード処理とは、現金処理センターや銀行などで、紙葉類の受け入れ業務を行う際の業務手法である。本実施例では、入力業務を前処理、装置処理、排除券処理の３段階に分担して行う例を説明する。
【００６０】
前処理では、操作員による紙葉類受け入れフェーズであり、受け入れた紙葉類のバッチ毎にバッチカードを発行し、発行されたバッチカードと、紙葉類を分離するためのダミーカードとの間に処理する紙葉類を挟みこんで処理ボックスにセットされる。このバッチカード、紙葉類、ダミーカードの組み合わせで１バッチが形成される。小口バッチでは、処理ボックスの中に複数のバッチが存在することになる。
【００６１】
装置処理では、前処理でセットされた処理ボックスの紙葉類をバッチ毎に区分処理するフェーズである。このフェーズで区分処理された紙葉類は上述した集積部５０又は施封部４で施封される。このフェーズは既に説明したので省略する。
【００６２】
排除券処理では、紙葉類処理装置１１０で排除された排除券を処理するフェーズで、操作員がバッチ毎に発生した排除券の券種、枚数などを入力する。
【００６３】
図６は紙葉類処理装置１１０によるバッチ処理を説明するフローチャートである。ここで、第１のカードであるダミーカードは青色で、第２のカードであるバッチカードは赤色である場合について説明する。
【００６４】
バッチカード検出装置８は、色センサを備えており、この色センサによってバッチカードの検出する色を設定することができる。例えば、赤色を検出する場合は、バッチカード検出装置８に対して設定１を入力し、青色を検出する場合は設定２を入力する。ここでは、バッチカードが赤色であるため、設定１を有効にし、設定２を無効にする（第１工程、Ｓ１）。
【００６５】
次に、バッチカードの検出パターン色を設定する。ここでは赤色パターンを検出する。なお、バッチカードの色と検出パターンの色とは異なってもよい（第２工程、Ｓ２）。
【００６６】
次に、ダミーカード、紙葉類、バッチカードからなる媒体で構成されたバッチを複数集積した紙葉類群を一括して供給部に供給する（第３工程、Ｓ３）。
【００６７】
次に、取出部２００を駆動して媒体を取り出す（第４工程、Ｓ４）。
【００６８】
次に、媒体色を検出する（第５工程）。この検出の結果、バッチカードでない場合（Ｓ５のＮｏ）、紙葉類判別部１９によって媒体の判別を行う。最初は、ダミーカード及び紙葉類が搬送されるため、この紙葉類判別装置１９によって、紙葉類であるかどうかが判別される（第６工程、Ｓ６）。ダミーカードは、紙葉類ではないために、リジェクト集積部８０に排除券として集積される。
【００６９】
次に、媒体は、紙葉類判別装置による判別の結果区分処理される。すなわち、ダミーカードは上述したようにリジェクト集積部８０に集積され、紙葉類はカセットアサインに従って集積部に集積又は施封部で施封される（第７工程、Ｓ８〜Ｓ９）。
【００７０】
次に、バッチカードの誤検知が判別される（第８工程、Ｓ１０）。このバッチカードの誤検知は、ステップＳ５での媒体色検出結果、及びステップＳ６での紙葉類判別装置１９によるバッチカードパターンの判別結果に基づいてバッチカードと判別された媒体が、さらに上記識別符号であるバッチ番号を有しているかをバーコードリーダ７０によって読み取り検知判別する。このバッチカード誤検知判別の結果、誤検知が発生していない場合、ステップＳ４からステップＳ１０を繰り返し媒体の判別を行う。
【００７１】
次に、この媒体の判別の結果、ステップＳ５において、バッチカードが検出された場合、バッチカードはバッチの最後に挿入されているため、当該バッチ処理を終了するために、取出部２００の駆動を停止して、次のバッチ処理のための紙葉類取出しを行わない（第１１工程、Ｓ１１）。
【００７２】
次に、当該バッチの係数処理を行う（第１２工程、Ｓ１１）。
【００７３】
次に、バッチの係数処理終了後、さらに未処理のバッチが有る場合は、取出部２００の再駆動を行う（第１３工程、Ｓ１４）。この取出部２００の再駆動は、操作員が操作表示部５５２から取り込みの再駆動をするか、または、リジェクト集積部８０に集積された排除券が排除券処理のために操作員によって取り出されたときに自動的に駆動してもよい。
【００７４】
次に、ステップＳ５〜Ｓ１０を繰り返して媒体の判別処理を行う。この媒体の判別処理は上述した通りであるので説明を省略する。
【００７５】
次に、本発明の趣旨である。バッチカードの誤検知が検知された場合、バッチカードとダミーカードを交換するために、ダミーカードの検出色をバッチカードの検出色に設定する。具体的にはバッチカードの検出色を設定する設定１を無効設定にし、ダミーカードの検出色を設定する設定２を有効にする（第９工程、Ｓ１６）。
【００７６】
次に、バッチカードの検出パターン色をダミーカードの検出パターン色に合わせる（第１０工程、Ｓ１７）。
【００７７】
次に、交換したダミーカード、紙葉類、バッチカードからなる媒体で構成したバッチを再構成して供給部に供給し、上述したステップ３からステップＳ１０を繰り返す。
【００７８】
以上述べたように本発明によれば、異なる色で構成したダミーカード及びバッチカードに同一のバッチカード番号を付与し、ダミーカード、紙葉類、バッチカードの順番に積層してバッチ処理を行うことにより、バッチカードが誤検知された場合に、ダミーカードとバッチカードを交換することによって紙葉類の処理が可能な紙葉類処理装置にすることができる。
【図面の簡単な説明】
【００７９】
【図１】本発明の実施例によるバッチカードを用いた紙葉類処理装置を備えた紙葉類処理システム図。
【図２】本発明の実施例による紙葉類処理装置の概略断面図。
【図３】主制御部に接続される紙葉類判別部、搬送制御部、施封制御部、及び操作部の接続状態を示すブロック図。
【図４】処理ボックスに積載された紙葉類の状態を示す図。
【図５】図４に示す紙葉類群を紙葉類処理部に供給した状態を示す図。
【図６】紙葉類処理装置によるバッチ処理を説明する図。
【符号の説明】
【００８０】
Ｈ  １００枚紙葉類
Ｐ  紙葉類
Ｇ１〜Ｇ８  分岐ゲート
Ｇ１２〜Ｇ１４  分岐ゲート
１  紙葉類処理部
８  バッチカード検出装置
１０  供給部
１９  紙葉類判別部
４  施封部
４２〜４５  施封装置
４２Ｅ  横搬送路
４２Ｂ  一時集積庫
４２Ｆ  搬送キャリア
５０  集積部
７０  バーコードリーダ
５７〜６２  集積装置
４００  施封制御部
５００  主制御部
５０２  操作表示部
【図１】
2007156730.tif 000003
【図２】
2007156730.tif 000004
【図３】
2007156730.tif 000005
【図４】
2007156730.tif 000006
【図５】
2007156730.tif 000007
【図６】
2007156730.tif 000008